(57)【要約】【課題】ディスク等の記録媒体内にて「何らかの操作をしないと、再生が始まらない部分(メニュー画像)」を検出し、それをトリガーに“ブラックアウト”を実現する。【解決手段】映像再生装置において、ユーザの表示オフ指示により表示手段6が表示をオフしている時、記録媒体１に記録されている信号に基づいて現画像がメニュー画像であるか検出し、現画像がメニュー画像であることが検出された時、表示手段による表示をオンしてメニュー画像を表示させる。また、現画像がメニュー画像でなくなれば、表示手段による表示をオフする。【選択図】    図１
2004214748.tif 000002
【特許請求の範囲】
【請求項１】
記録媒体に記録された信号よりオーディオ及びビデオを再生する映像再生装置において、
表示オフを設定する表示オフ設定手段、
ビデオ画像及びメニュー画像を表示する表示手段、
記録媒体に記録されている信号より現画像がメニュー画像であることを検出する検出手段、
表示オフ設定により前記表示手段による表示がオフの場合、現画像がメニュー画像であることが検出された時、該表示手段による表示をオンしてメニュー画像を表示させる制御手段、
を備えたことを特徴とする映像再生装置。
【請求項２】
前記制御部は、現画像がメニュー画像でなくなれば、前記表示手段による表示をオフする、
ことを特徴とする請求項1記載の映像再生装置。
【請求項３】
前記検出手段は、前記記録媒体に記録されているナビゲーションデータを参照して現画像がメニュー画像であるかを検出する、
ことを特徴とする請求項1記載の映像再生装置。
【請求項４】
前記検出手段は、ナビゲーションデータに含まれる次のプログラムチェーン番号を示す値が現在再生中のプログラムチェーンの番号であれば、現画像はメニュー画像であると判定する、
ことを特徴とする請求項３記載の映像再生装置。
【請求項５】
前記検出手段は、ナビゲーションデータに含まれる静止時間の値が無限時間であれば、現画像はメニュー画像であると判定する、
ことを特徴とする請求項３記載の映像再生装置。
【請求項６】
前記検出手段は、ナビゲーションデータのハイライト情報に含まれるボタン数が1以上であれば、現画像はメニュー画像であると判定する、
ことを特徴とする請求項３記載の映像再生装置。
【請求項７】
ビデオ処理を行うビデオプロセッサを備え、
前記制御部はビデオプロセッサの動作を開始あるいは停止させることにより前記表示手段による表示をオンあるいはオフする、
ことを特徴とする請求項1又は2記載の映像再生装置。
【請求項８】
記録媒体に記録された信号よりオーディオ及びビデオを再生する映像再生装置の表示制御方法において、
ユーザの表示オフ設定により表示手段が表示をオフしている時、前記記録媒体に記録されている信号に基づいて現画像がメニュー画像であるか検出し、
現画像がメニュー画像であることが検出された時、前記表示手段による表示をオンしてメニュー画像を表示させる、
ことを特徴とする映像再生装置の表示制御方法。
【請求項９】
現画像がメニュー画像でなくなれば、前記表示手段による表示をオフする、
ことを特徴とする請求項８記載の映像再生装置の表示制御方法。
【請求項１０】
前記記録媒体に記録されているナビゲーションデータを参照して現画像がメニュー画像であるかを検出する、
ことを特徴とする請求項８記載の映像再生装置の表示制御方法。。
【請求項１１】
ナビゲーションデータに含まれる次のプログラムチェーンの番号を示す値が現在再生中のプログラムチェーンの番号であれば、現画像はメニュー画像であると判定する、
ことを特徴とする請求項1０記載の映像再生装置の表示制御方法。。
【請求項１２】
ナビゲーションデータに含まれる静止時間の値が無限時間であれば、現画像はメニュー画像であると判定する、
ことを特徴とする請求項１０記載の映像再生装置の表示制御方法。。
【請求項１３】
ナビゲーションデータのハイライト情報に含まれるボタン数が1以上であれば、現画像はメニュー画像であると判定する、
ことを特徴とする請求項１０記載の映像再生装置の表示制御方法。
【発明の詳細な説明】
【０００１】
【発明の属する技術分野】
本発明は映像再生装置及び表示制御方法に係わり、特に、必要なときのみ表示をオンし、そのほかの時に表示をオフする映像再生装置及び表示制御方法に関する。
【０００２】
【従来の技術】
CDなどのディスクからの音楽再生中において表示器をオンしておくと、該表示器の表示制御を行うCPUからの高周波デジタル信号がオーディオ信号路に重畳されて、オーディオ信号のS/N比を低下し、音質を劣化する。このため、特公平6-105532号公報には、音楽再生中に表示器の動作を停止させる切換手段を設け、再生中表示をオフすることによりノイズ発生を防止するディスクプレーヤが提案されている。このように、音響機器において、オーディオ信号より音声の再生中に表示をオフして音質向上する機能を“ブラックアウト（表示をOFFする機能）”という。
【特許文献1】特公平6-105532号公報
【０００３】
【発明が解決しようとする課題】
CDなどの記録媒体において、操作メニューを表示しない記録媒体であれば、表示機能OFF（表示に関する回路のOFF）を行っても、連続再生等に何等の影響を与える事はない。したがって、必要に応じてブラックアウト機能をイネーブルして音楽再生中に表示をオフしても問題は生じない。例えば、音質を向上して聞きたい場合、ブラックアウト機能をイネーブルして表示をオフして聞くことができる。また、ライブのDVDビデオディスクの映像は見飽きたから音だけをCD感覚で聞きたいという場合、ブラックアウトをイネーブルして表示をオフして聞くことができる。
【０００４】
ところで、DVDビデオディスクによっては、ディスクをプレーヤで再生開始すると最初にメニュー画面が表示され、所定のメニューを選択しないと再生が開始しないようになっている。メニューには、たとえば、タイトルを選択して再生開始を指示するタイトルメニュー、オーディオストリーム(オーディオトラック)の選択メニュー、サブピクチャを選択するメニュー、どの角度から撮影した映像を再生するかを選択するメニューなどがある。
かかるメニュー画面を表示する記録媒体の場合、ブラックアウト機能を動作させて表示をオフするとメニュー画面が表示されないためメニューを選択ができなくなり、再生を開始できなくなる。また、メニュー画面は最初だけでなく途中でも挿入されるため、最初だけ表示をオンし、以後はオフするという制御もできない。
【０００５】
以上より、DVDビデオ/DVDオーディオ（DVDビデオ／DVD−Audio）のようにメニュー画面（何かを選択しないと、再生が始まらない）を表示し、メニュー選択による動作指示を待って再生を開始するディスクでは、単純に表示機能をオフしてしまうと、ユーザー側でメニュー選択ができず、先に進めなくなる問題が発生する。
従って、本発明の目的は、メニューを表示すべき時点では自動的に表示をオンしてメニュー画像を表示し、次の動作を指示できるようにし、それ以外の時には表示をオフして音質を向上できるようにすることである。
本発明の別の目的は、ディスク等の記録媒体内の記録信号に基づいて「何らかの操作をしないと、再生が始まらない部分」を検出し、それをトリガーに“ブラックアウト機能オフ”を実現することである。
【０００６】
【課題を解決するための手段】
上記課題は本発明によれば、記録媒体に記録された信号よりオーディオ及びビデオを再生する映像再生装置において、ユーザの表示オフ設定により表示手段が表示をオフしている時、前記記録媒体に記録されている信号に基づいて現画像がメニュー画像であるか検出し、現画像がメニュー画像であることが検出された時、前記表示手段による表示をオンしてメニュー画像を表示させることにより達成される。
又、上記課題は、本発明によれば、現画像がメニュー画像でなくなれば、前記表示手段による表示をオフすることにより達成される。
【０００７】
【発明の実施の形態】
（A）本発明の概略
図1は本発明の概略説明図であり、ディスク内で「何らかの操作をしないと、再生が始まらないデータ部分DP」を検出し、すなわち、現画像がメニュー画像であることを検出し、それをトリガーに“ブラックアウト”を実現する。
DVD-ビデオディスク１には、「何らかの操作をしないと、再生を始めないデータ部分DP」が記録されている。DVD プレーヤ２におけるMPEGデコーダ３のトリガー検出ブロック４は、DVD-ビデオディスク１に記録されているこのデータ部分DPを検出し、デコーダ内蔵の表示ブロック５及び外部の表示系回路ブロック６にDP検出信号を入力する。操作部７はブラックアウト機能をイネーブルするキーを備え、ブラックアウト中であるか否かを各ブロック５，６に入力する。
【０００８】
操作部7によりブラックアウト機能がイネーブルされている時、表示ブロック５及び外部の表示系回路ブロック６は、▲１▼DP検出信号がローレベルであれば、すなわち、データ部分DPが未検出であれば、表示をオフし、▲２▼DP検出信号がハイレベルになると、すなわち、データ部分DPが検出されると、表示をオンしてメニュー画面を表示する。そして、メニューが選択されて再生が指示されると表示をオフする。
【０００９】
（B）DVDビデオディスク構造
上記何らかの操作をしないと再生を始めないデータ部分DPの検出方法を説明する前に、DVDビデオディスク構造について説明する。
(1)ナビゲーションデータとプレゼンテーションデータ
現状のDVDビデオプレーヤはDVDビデオ規格に基づいてコーディングされたDVDビデオディスクを再生する。DVDビデオディスクには最大99タイトルまで記録可能であり、各タイトルに応じてアングル別のビデオ情報、複数言語（例えば８カ国語）のオーディオ情報、複数言語のサブピクチャ(字幕スーパ等)が記録され、ユーザ指示に基づいて所定の映像/所定言語のオーディオ/所定言語のサブピクチャの再生出力が行われるようになっている。
DVDビデオディスクには大別すると２つのタイプのデータが記録されている。第１のタイプはナビゲーションデータ(Navigation Data)であり、第２のタイプはプレゼンテーションデータ(Presentation Data)である。ナビゲーションデータは再生制御データの一般名称であり、プレゼンテーションデータは再生されるビデオ／オーディオ／サブピクチャ等の一般名称である。DVDビデオプレーヤにおいてユーザが指示するオペレーションはタイトル選択、メニュー選択、オーディオ変更、アングル変更、サブピクチャ（字幕）変更などである。DVDビデオプレーヤはナビゲーションデータを参照してユーザ指示に応じたプレゼンテーションデータ（ビデオ／オーディオ／サブピクチャ）を検索して再生する。
【００１０】
(2) DVDビデオディスクのボリューム構成
図２はDVDビデオディスクのボリューム構成説明図である。DVDビデオディスクは、ボリュームファイル構造部11、DVDビデオゾーン12、DVDビデオ以外のアプリケーションゾーン13よりなり、DVDビデオゾーン12に▲１▼ビデオマネージャVMG、▲２▼最大99のビデオタイトルセットVTS#1〜VTS#99が記録されるようになっている。
ビデオマネージャVMGは全てのビデオタイトルセットVTSに対する内容であり、タイトルの再生やユーザオペレーションをサポートするための情報VMGI(VMG情報)15や、ボリュームアクセスをサポートするビデオオブジェクトセットVMGM-VOBS14を有している。
各ビデオタイトルセットVTS#jは、▲１▼VTSI(VTS情報)と呼ばれるコントロールデータ、▲２▼VTSメニューのためのビデオオブジェクトセットVTSM-VOBS、▲３▼VTSタイトル(本編)のためのビデオオブジェクトセットVTSTT-VOBSを有している。
【００１１】
図３はビデオオブジェクトセットVOBS 14の構成図である。ビデオオブジェクトセットVOBSは多数のビデオオブジェクトVOB-IDNi (IDNiは第i番目のVOBを意味するIDである)で構成され、各ビデオオブジェクトVOBは多数のセルCellで構成され、各セルは多数のビデオオブジェクトユニットVOBUで構成され、各ビデオオブジェクトユニットVOBUは、▲１▼1つのナビゲーションパックNV-PCK、▲２▼複数のオーディオパックA-PCK、▲３▼複数のビデオパックV-PCK、▲４▼複数のサブピクチャパックSP-PCKを有している。1画面当りのビデオ情報は1画面当りのオーディオ情報やサブピクチャ情報より多いため、１つのビデオオブジェクトユニットVOBUに含まれるビデオパックV-PCKの数は、オーディオパックA-PCKやサブピクチャパックSP-PCKの数より多くなっている。
【００１２】
(3)ナビゲーションデータ
ナビゲーションデータは、ビデオマネージャ情報VMGI 15(図2)、ビデオタイトルセット情報VTSI 16、データサーチ情報DSI 17、プレゼンテーション制御情報PCI 18に分けられ、VMGI 15はビデオマネージャVMGの先頭に設けられ、VTSI16は各ビデオタイトルセットVTSの先頭に設けられ、DSI及びPCIは図３に示すように各ビデオオブジェクトユニットVOBUの先頭に分散される。
【００１３】
(4) プレゼンテーション構造
プレゼンテーション構造は、タイトルとプログラムチェーン（PGC）を有している。PGCは図4に示すようにPCG情報(PGCI)と呼ばれるプレイバック情報で構成され、多数のプログラムをチェーン接続してなり、各プログラム(program＃ｉ)のセル番号(cell#j)で、VOBSで定義されているC-IDNを指定し、その順に再生するようになっている。図5はPGCのプレイバック説明図であり、セルを連続的に再生する例である。
【００１４】
(5)PGCIの構造
前述のように、PGCI (PGC情報)はプログラムチェーンPGCのプレゼンテーションを制御するナビゲーションデータである。PGCは基本的にPGCI及びビデオオブジェクトVOBsで構成される。PGCsはドメインに関して4つのタイプに分けられており、First Play PGC (FP-PGC)，Video Manager Menu PGC(VMGM-PGC)，Video Title Set Menu PGC (VTSM-PGC)，Title PGC (TT-PGC)があり、それぞれFP-DOM， VMGM-DOM， VTSM-DOM， TT-DOMに属する。
【００１５】
図6は空間とドメインの関係図であり、VMG空間21にはVideo Manager Menu Domain (VMGM-DOM)21aとFirst Play Domain （FP-DOM）21bが属し、VTS空間22には Video Title Set Menu Domain (VTSM-DOM)22aとTitle Domain （TT-DOM） 22bが属している。
又、Video Manager Menu Domain (VMGM-DOM)21aとVideo Title Set Menu Domain (VTSM-DOM)22aによりメニュー空間が形成され、Title Domain （TT-DOM） 22bを除いた残りのドメインでシステム空間が形成されている。
【００１６】
図7はメニューの機能とメニューが属するドメインの説明図表であり、メニューには、▲１▼タイトルメニュー、▲２▼ルートメニュー、▲３▼オーディオメニュー、▲４▼サブピクチャメニュー、▲５▼アングルメニュー、▲６▼PTT(Part of Title)メニューがある。タイトルメニューは、DVDビデオディスクには最大99タイトルを記憶できるため、複数のタイトルが記録されている場合にどのタイトルを再生するかを指示するためのメニューである。ルートメニューは、コンテンツプロバイダにより決められるメニューであり、▲３▼〜▲６▼へのリンク機能を持たなければならない。オーディオメニューはオーディオストリーム(オーディオトラック)の選択メニュー、サブピクチャメニューは複数のサブピクチャより所定のサブピクチャを選択するメニュー、アングルメニューは複数の角度から撮影した映像のどれを再生するか(アングル番号)を選択するメニュー、PTTメニューはPTTサーチされるPPT番号を選択するためのメニューである。
タイトルメニューのみがVideo Manager Menu Domain (VMGM-DOM)21aに属し、残りのルートメニュー、オーディオメニュー、サブピクチャメニュー、アングルメニュー、PTTメニューはVideo Title Set Menu Domain (VTSM-DOM)22aに属している。
【００１７】
（C）何らかの操作をしないと再生を始めないデータ部分DPの検出法
何らかの操作をしないと再生を始めないデータ部分DPは、表示部にメニュー画面を表示し、メニュー選択により再生が指示されないとタイトル(本編)の再生を行わず、再生が指示された時にタイトル(本編)の再生を開始する。このデータ部分DPは，DVD−ビデオディスクの場合、メニュー空間に属しているが、メニュー空間外でも、メニュー画面の設定が可能である為、メニュー空間とそうでない空間の両タイプの検出方法がある。
【００１８】
(1).VMGM＿DOM 21a またはVTSM＿DOM 22a再生中（メニュー空間再生中）の検出法
PGCI(プログラムチェーン情報)は、図8に示す構造を有している。そのうち、プログラムチェーン一般情報PCC-GI 31は、本PGCから遷移先PGC番号を記述するPGC-NV-CTL (PGC Navigation CTL)32を有している。PGC-NV-CTL (PGC Navigation CTL) 32は図9に示すように、5項目の内容を記述するものである。Next-PGCN 33は、本PGCが存在する同一のTitle Domain （TT-DOM）22b内の次のPGC番号を記述するもの、Still time value 34は、本PGC再生後のStill時間(静止時間)を記述するものである。
【００１９】
▲１▼PGCI内のNext＿PGCN 33に、現在再生しているPGCN（自PGN）が記述されている場合、すなわち、メニュー空間で現在再生しているPGCの次のPGCの番号として、現在再生しているPGCの番号（自PGN）が記述されている場合、別のPGCに進むことができない状態（無限ループ状態という）になる。このNext＿PGCN 33の値が「自PGN」であれば、該値は「前記何らかの操作をしないと再生を始めないデータ部分DP」となる。
▲２▼また、PGCI内のNext＿PGCN 33に"0000h“が記述されている場合(hはヘキサを意味する)、次に再生するPGCが存在しないことを意味し、PGCI内のStill time value 34に“255（Infinite Still）”が記述される。このため、PGCI内のStilltime value 34の値が“255（Infinite Still）”の場合には、Still時間(静止時間)が無限になり、別のPGCに進むことができない静止状態になる。このStill time value 34の値「255」が、前記「何らかの操作をしないと再生を始めないデータ部分DP」となる。
つまり、上記の無限ループ及び無限静止は、「何らかの操作を行わないと、次の再生個所に遷移しない」事を意味し、「何らかのユーザ操作が必須」である事を意味する。その為、“NEXT#PGCN 33に、自PGC番号が記述されている”，もしくは、“Still time value 34に Infinite stillが記述されている”場合に、メニュー画面であると認識できる。
【００２０】
(2).Title Domain （TT＿DOM）22b再生中（本編等再生中）
▲１▼ PGCI内のStill time Value 34に“255（Infinite Still）”記述されている場合には、メニュー空間再生中の場合と同様に本編再生中において、現在再生している個所が終了した場合に、永遠にStill（静止）となる。従って、このStill time value 34の値「255」が前記「何らかの操作をしないと再生を始めないデータ部分DP」となる。
▲２▼本編再生中において、画像中にボタン情報が一つ以上存在した場合、「何らかの操作をしないと再生を始めないデータ部分DP」となる。
プレゼンテーション制御情報 (PCI)はVOBU Unit (VOBU)(図3参照)をコントロールするためのナビゲーションデータであり、図10に示すように4つの情報 PCI-GI，NSML-ALGI，HLI （ハイライト情報），RECIから構成されている。このうち、HLI （ハイライト情報）41は、サブピクチャ表示エリアにおける方形エリアをハイライトする情報であり、HLI一般情報（HLI GI）42、ボタンカラー情報テーブル(BTN COLIT)、ボタン情報テーブル（BTNIT）の3つの項目を有している。
【００２１】
HLI一般情報（HLI GI）42は、図11に示すようにBTN-Ns 43を有している。このBTN-Ns 43は現在有効であるボタン数を記述するものである。つまり、何かを選択できる状態にあることを意味する。従って、BTN-Ns≧１であれば、メニュー画面であると認識できる。
この場合は、ユーザーによる操作が必須であると認識し、すなわち、操作を行わないと、再生されないと認識し、システムコントローラにて検出を行う。
【００２２】
（D）DVDビデオ再生装置の構成
図12はDVDビデオ再生装置の全体構成図である。DVDビデオディスク51から光ピックアップ52により読み取られた信号はRFアンプ53に入力する。RFアンプ53は入力信号をＲＦ増幅して次段に出力するとともに、トラッキングエラー信号TES、フォーカシングエラー信号FESを生成してサーボ制御部54に入力する。サーボ制御部54は、トラッキングエラー信号TESを用いて送りモータ55を駆動してトラッキングサーボ制御すると共に、システムコントローラからの指示に基づいて光ピクアップ52をディスク半径方向に移動して所定の位置に位置決めする。また、サーボ制御部54は、フォーカシングエラー信号FESを用いてアクチュエータを駆動して光ピックアップ52の焦点がディスク面に一致するように（合焦点位置になるように）フォーカスサーボ制御する。さらに、サーボ制御部54は、スピンドルモータ56を周速一定回転制御する。
【００２３】
デジタル信号処理部57は、RAM58を用いてDVD変調信号の復調処理、誤り訂正処理、デジタル認証処理、MPEGデコーダからのデータ転送要求によるビットストリーム（DVDデータ）の転送処理等を行う。ストリーム分離部59はナビゲーションパックNV-PCKを分離して、DVDデータのストリームの解析を行い、(1) 選択されたタイトルに応じた主映像、(2)選択された言語による副映像、(3) 選択された言語に応じたオーディオデータに各々分離して出力する。また、ストリーム分離部59の検出部59ａは、前述の（C）欄で説明した４つの方法により、メニュー画面表示中を検出し、検出結果をシステムコントローラ60に入力する。
【００２４】
システムコントローラ60は各部を制御すると共に、ストリーム分離部59の検出部59ａから入力されるメニュー画面表示中信号に基づいて、後述するフローに従ってブラックアウト制御を行う。
オーディオデコーダ61はRAM62を用いてMPEGオーディオデータをPCMオーディオデータに復元して出力し、ビデオデコーダ63はRAM64を用いて主映像のMPEGビデオデータを復元して出力し、サブピクチャデコーダ65はRAM66を用いて副映像のMPEGビデオデータを復元して出力する。DA変換器67はＰＣＭオーディオデータをアナログに変換して出力する。ビデオプロセッサ68は主映像と副映像を用いて編集してビデオエンコーダ69に入力し、ビデオエンコーダ69は入力映像信号をNTSC方式あるいはPAL方式の信号にエンコードして表示系デバイス70に入力する。表示系デバイス70は入力された映像をディスプレイ画面に表示する。なお、表示系デバイス70の表示オン／オフはブラックアウト機能に基づいてシステムコントローラ60により制御される。操作部71はDVDビデオディスクの再生操作を行うと共に、ブラックアウトオン／オフをシステムコントローラ60に入力する。
【００２５】
（E）ブラックアウト処理
図13はブラックアウト制御処理フローである。
操作部71はキー操作で表示デバイスの表示オフが指示されたか、すなわち、ブラックアウトがイネーブルされたか監視する(ステップ１０１、１０２)。表示オフが指示されて、ブラックアウトがイネーブルされれば、システムコントローラ60にブラックアウトの開始を送信する。システムコントローラ60は、ブラックアウトがイネーブルされると、ビデオプロセッサ68のビデオ処理を停止させると共に、表示系デバイス70の表示をオフする。(ステップ103)。
【００２６】
ついで、システムコントローラ60は、ストリーム分離部59のメニュー画面検出結果に基づいて表示オン指令がRAM72に格納されているかチェックする(ステップ104、105)。ストリーム分離部59のメニュー画面検出処理は図14の処理フローに従って後述する。
ステップ105において、表示オンが指令されていなければ、通常処理を継続し(ステップ106)、操作部71からブラックアウトがイネーブルされているかチェックし(ステップ107)、ブラックアウトがイネーブルされていればステップ104に戻り、以降の処理を繰り返す。しかし、操作部71のキー操作で表示オンとなってブラックアウトの終了が指示されていれば、システムコントローラ60はビデオプロセッサ68のビデオ処理を開始させ、かつ、表示系デバイス70をオンし(ステップ108)、以後、ステップ101に戻り以降の処理を繰り返す。
【００２７】
一方、ステップ105において、MPEG-2デコーダ59がメニュー画面を検出して表示オンを指令している場合には、システムコントローラ60はビデオプロセッサ68にビデオ処理開始を指示すると共に、表示系デバイス70に表示オンを指示し、表示を強制的にオンしてメニュー画面を表示する(ステップ109)。
以後、システムコントローラ60は、表示オン指令が継続してRAM72に格納されているかチェックする(ステップ110,111)。表示オン指令が格納されている場合には、メニュー画面が表示されていることになり、ステップ110以降の処理を行い、継続して表示をオンする。
【００２８】
しかし、表示オフ指令がRAM72に格納されていれば、ユーザがメニュー選択動作してメニュー画面が消えたことを意味し、システムコントローラ６０はビデオプロセッサ68のビデオ処理を停止させると共に表示系デバイス70の表示を強制的にオフする(ステップ112)。以後、ステップ106の以降の処理を行う。そして、ブラックアウト動作中において(ステップ107において「YES」)、再び、MPEG-2デコーダ59によりメニュー画面が検出されて表示オン指令がRAM72にセットされると(ステップ105で「YES」)、表示を強制的にオンしてメニュー画面を表示し(ステップ109)、以降の処理を繰り返す。
以上、ブラックアウト機能により、表示をオフすることにより音質を向上でき、しかもメニュー選択動作が必要な時、自動的に表示を強制オンしてメニュー画面を表示させることができ、これによりユーザにメニュー選択を行わせて再生を継続することができる。
【００２９】
図14はストリーム分離部59の検出部59ａのメニュー画面検出処理フローである。
MPEG-2デコーダ59の検出部59ａは、ナビゲーションデータを参照して、メニュー空間のドメイン(VMGM-DOMあるいはVTSM-DOM)の再生中であるかチェックする(ステップ201)。メニュー空間のドメインの再生中であれば、Next-PGCN 33(図９参照)の値が"自PGC"であるかチェックする(ステップ202)。"自PGC"であれば、現画面がメニュー画面であることを検出し(ステップ203)、表示オン指令をRAM72にセットし(ステップ204)、以後、初めに戻る。
【００３０】
一方、ステップ202において、Next-PGCN 33の値が"自PGC"でなければ、Still time value 34(図９参照)の値が"255" であるかチェックする(ステップ205)。"255"であれば、現画面がメニュー画面であることを検出し(ステップ203)、表示オン指令をRAM72にセットし(ステップ204)、以後、初めに戻る。しかし、Still time value 34の値が"255"でなければ、表示オフ指令をRAM72にセットし(ステップ206)、以後、初めに戻る。
【００３１】
ステップ201において、メニュー空間のドメインの再生中でなければ、Still time value 34(図９参照)の値が"255" であるかチェックする(ステップ206)。"255"であれば、現画面がメニュー画面であることを検出し(ステップ207)、表示オン指令をRAM72にセットし(ステップ208)、以後、初めに戻る。しかし、Still time value 34の値が"255"でなければ、BTN-Ns 43(図11参照)の値が１以上であるかチェックし(ステップ209)、1以上であれば、現画面がメニュー画面であることを検出し(ステップ207)、表示オン指令をRAM72にセットし(ステップ208)、以後、初めに戻る。
ステップ209において、BTN-Ns 43の値が１以上でなければ、すなわち0であれば、表示オフ指令をRAM72にセットし(ステップ206)、以後、初めに戻る。
【００３２】
【発明の効果】
以上本発明によれば、ブラックアウトにより表示をオフして音質を向上することができ、しかもメニュー選択動作が必要な時、自動的に表示を強制オンしてメニュー画面を表示させることができ、これによりユーザにメニュー選択を行わせて再生を継続することができる。また、ユーザがメニュー選択した後は再び表示をオフして音質を向上することができる。
また、本発明によれば、近年ミュージシャンのLive系DVDビデオディスクなども多数販売されているが、CD感覚やDVD−Audio等を楽しみたい、すなわち、映像は何回も見ているので音だけでも良い、と言った場合にも本発明は有効である。
【図面の簡単な説明】
【図１】図1は本発明の概略構成図である。
【図２】DVDビデオディスクのボリューム構成説明図である。
【図３】ビデオオブジェクトセットVOBSの構成図である。
【図４】PGCの説明図である。
【図５】PGCのプレイバック説明図である。
【図６】空間とドメインの関係図である。
【図７】メニューの機能とメニューが属するドメインの説明図表である。
【図８】PGCI(プログラムチェーン情報)の構造説明図である。
【図９】PGC-NV-CTL (PGC Navigation CTL)の説明図である。
【図１０】プレゼンテーション制御情報 (PCI)の説明図である。
【図１１】HLI一般情報（HLI GI）の説明図である。
【図１２】DVDビデオ再生装置の全体構成図である。
【図１３】ブラックアウト制御処理フローである。
【図１４】メニュー画面検出処理フローである。
【符号の説明】
１  DVD-ビデオディスク
２  DVD プレーヤ
３  MPEGデコーダ
４  トリガー検出ブロック
５  デコーダ内蔵の表示ブロック
６  外部の表示系回路ブロック
７  操作部
【図１】
2004214748.tif 000003
【図２】
2004214748.tif 000004
【図３】
2004214748.tif 000005
【図４】
2004214748.tif 000006
【図５】
2004214748.tif 000007
【図６】
2004214748.tif 000008
【図７】
2004214748.tif 000009
【図８】
2004214748.tif 000010
【図９】
2004214748.tif 000011
【図１０】
2004214748.tif 000012
【図１１】
2004214748.tif 000013
【図１２】
2004214748.tif 000014
【図１３】
2004214748.tif 000015
【図１４】
2004214748.tif 000016